(57)【要約】【課題】使い勝手が非常によく、且つ清掃品質の向上にもつながる、全方向性モップヘッドを備えたモップを提供する。【解決手段】柄（３０）とグリップ部（５０）とからなる回転制御機構と、柄（３０）の底部に連結されるＹ字形接続具（３５）と、設置孔（３３）に螺合される六角ねじ（３３６）と、位置決めボール（３３３）、位置決めボール座（３３５）及びスプリング（３３４）とからなる位置決め補助機構と、回転盤（１０）と、連結座（１８）と、上蓋（１３）と、I字形接続具（２０）と、ベアリング座（１７）と、ベアリング片（１５）と、固定盤（４０）と、上蓋（１３）、ベアリング片（１５）、ベアリング座（１７）、回転盤（１０）及び連結座（１８）を貫通して固定する複数のねじ（１６）と、からなる回転機構と、を有することを特徴とする。【選択図】図２
0003117282.tif 000002
【実用新案登録請求の範囲】
【請求項１】
柄（３０）と、該柄（３０）の上部に設置される、真っ直ぐなロッド状ではないグリップ部（５０）とからなる回転制御機構と、
前記柄（３０）の底部に連結されるＹ字形接続具（３５）と、該Ｙ字形接続具（３５）上に貫通するように形成される、上部内側に雌ねじ山を有する設置孔（３３）と、該設置孔（３３）に螺合される六角ねじ（３３６）と、該設置孔（３３）に設けられ、一部が設置孔（３３）から露出する位置決めボール（３３３）、該位置決めボール（３３３）と接触し、位置決めボール（３３３）をスムーズに転動させるための円滑弧状面が設けられる位置決めボール座（３３５）、及び一端が六角ねじ（３３６）に当接すると共に、他端が位置決めボール座（３３５）に付勢されるスプリング（３３４）とからなる位置決め補助機構と、
モップヘッドであり、前記位置決め補助機構上に該位置決め補助機構に対して360度回転可能に設置されると共に、中央に円形開口（１１）が形成され、底面に収容溝（１２）が形成される回転盤（１０）と、該回転盤（１０）の収容溝（１２）内に設置される連結座（１８）と、開口（１３１）を有すると共に、円形開口（１１）をカバーするように回転盤（１０）の上面に設置される上蓋（１３）と、底部に、回転盤（１０）に対して回転するように円形開口（１１）内に枢設される円形の底座（２１）が設置され、該底座（２１）の上部に前記上蓋（１３）の開口（１３１）を貫通する連結プレート（２２）が凸設され、更に該連結プレート（２２）の周縁に少なくとも１つの凹部（２３）が形成されるI字形接続具（２０）と、前記I字形接続具（２０）の底座（２１）と円形開口（１１）との間に固設されるドライ式のベアリング座（１７）と、前記回転盤（１０）の円形開口（１１）内に固設され、且つ前記I字形接続具（２０）の底座（２１）と上蓋（１３）との間に位置すると共に、連結プレート（２２）が貫通する貫通孔（１５１）が形成されるベアリング片（１５）と、弾性部材からなり、前記回転盤（１０）の円形開口（１１）内に、該回転盤（１０）と一緒に回転するように設置されると共に、中央に貫通孔が形成され、底面に清掃部材が固設される固定盤（４０）と、上蓋（１３）、ベアリング片（１５）、ベアリング座（１７）、回転盤（１０）及び連結座（１８）を貫通して、それらを固定する複数のねじ（１６）と、からなる回転機構と、を有することを特徴とする、
全方向性モップヘッドを有するモップ。
【請求項２】
前記清掃部材は、複数の細布（４１）からなることを特徴とする、請求項１に記載の全方向性モップヘッドを有するモップ。
【考案の詳細な説明】
【技術分野】
【０００１】
本考案は特に、使用時にモップヘッドが360度回転できる、全方向性モップヘッドを備えたモップに関するものである。
【背景技術】
【０００２】
モップは、最もよく使用されている床用清掃用具であり、その構造は、柄の底端に細布が固定されるものである。
【考案の開示】
【考案が解決しようとする課題】
【０００３】
しかしながら、前記従来のモップでは、床面を一部の布部でしか拭き取ることができないことから、一定時間拭き取りを行った後に、モップ全体を回転させて他側の布部で床面を拭き取らなければならなくなるので、非常に不便であり、実用的ではない。
【０００４】
更に、ベッドなどの脚部を有する家具の下方の床面を掃除する時は、柄を床面付近まで倒して作業を行うが、この場合、一部の布部しか床面に接触しないので、汚れを完全に拭き取ることができない。
【課題を解決するための手段】
【０００５】
本願の第１考案は、柄（３０）と、該柄（３０）の上部に設置される、真っ直ぐなロッド状ではないグリップ部（５０）とからなる回転制御機構と、
前記柄（３０）の底部に連結されるＹ字形接続具（３５）と、該Ｙ字形接続具（３５）上に貫通するように形成される、上部内側に雌ねじ山を有する設置孔（３３）と、該設置孔（３３）に螺合される六角ねじ（３３６）と、該設置孔（３３）に設けられ、一部が設置孔（３３）から露出する位置決めボール（３３３）、該位置決めボール（３３３）と接触し、位置決めボール（３３３）をスムーズに転動させるための円滑弧状面が設けられる位置決めボール座（３３５）、及び一端が六角ねじ（３３６）に当接すると共に、他端が位置決めボール座（３３５）に押圧されるスプリング（３３４）とからなる位置決め補助機構と、
中央に円形開口（１１）が形成され、底面に収容溝（１２）が形成される回転盤（１０）と、該回転盤（１０）の収容溝（１２）内に設置される連結座と、開口（１３１）を有すると共に、円形開口（１１）をカバーするように回転盤（１０）の上面に設置される上蓋（１３）と、底部に、回転盤（１０）に対して回転するように円形開口（１１）内に枢設される円形の底座（２１）が設置され、該底座（２１）の上部に前記上蓋（１３）の開口（１３１）を貫通する連結プレート（２２）が凸設され、更に該連結プレート（２２）の周縁に少なくとも１つの凹部（２３）が形成されるI字形接続具（２０）と、前記I字形接続具（２０）の底座（２１）と円形開口（１１）との間に位置するドライ式のベアリング座（１７）と、前記回転盤（１０）の円形開口（１１）内に固設され、且つ前記I字形接続具（２０）の底座（２１）と上蓋（１３）との間に位置すると共に、連結プレート（２２）が貫通する貫通孔（１５１）が形成されるベアリング片（１５）と、弾性部材からなり、前記回転盤（１０）の円形開口（１１）内に、該回転盤（１０）と一緒に回転するように設置されると共に、中央に貫通孔が形成され、底面に清掃部材が固設される固定盤（４０）と、上蓋（１３）、ベアリング片（１５）、ベアリング座（１７）、回転盤（１０）及び連結座（１８）を貫通して、それらを固定する複数のねじ（１６）と、からなる回転機構と、を有することを特徴とする全方向性モップヘッドを有するモップを提供するものであり、
本願の第２考案は、前記清掃部材は、複数の細布（４１）からなることを特徴とする前記第２考案に記載の全方向性モップヘッドを有するモップを提供するものである。
【考案の効果】
【０００６】
本考案は上記の課題を解決するものであり、柄と、該柄の上部に設置される、真っ直ぐなロッド状ではないグリップ部とからなる回転制御機構と、
前記柄の底部に連結されるＹ字形接続具と、該Ｙ字形接続具上に貫通するように形成される、上部内側に雌ねじ山を有する設置孔と、該設置孔に螺合される六角ねじと、該設置孔に設けられ、一部が設置孔から露出する位置決めボール、該位置決めボールと接触し、位置決めボールをスムーズに転動させるための円滑弧状面が設けられる位置決めボール座、及び一端が六角ねじに当接すると共に、他端が位置決めボール座に付勢されるスプリングとからなる位置決め補助機構と、
中央に円形開口が形成され、底面に収容溝が形成される回転盤と、該回転盤の収容溝内に設置される連結座と、開口を有すると共に、円形開口をカバーするように回転盤の上面に設置される上蓋と、底部に、回転盤に対して回転するように円形開口内に枢設される円形の底座が設置され、該底座の上部に前記上蓋の開口を貫通する連結プレートが凸設され、更に該連結プレートの周縁に少なくとも１つの凹部が形成されるI字形接続具と、前記I字形接続具の底座と円形開口との間に位置するドライ式のベアリング座と、前記回転盤の円形開口内に固設され、且つ前記I字形接続具の底座と上蓋との間に位置すると共に、連結プレートが貫通する貫通孔が形成されるベアリング片と、弾性部材からなり、前記回転盤の円形開口内に、該回転盤と一緒に回転するように設置されると共に、中央に貫通孔が形成され、底面に清掃部材が固設される固定盤と、上蓋、ベアリング片、ベアリング座、回転盤及び連結座を貫通して、それらを固定する複数のねじと、からなる回転機構と、を有し、前記清掃部材は細布から構成されることから、本考案の手持ち式モップを使用する時は、細布の力によりモップヘッドが如何なる方向にもスムーズに360度回転でき、且つ細布は床面と均一に接触している状態であるので、細布の一部だけ汚れたり、一部だけ拭き取りが行なわれていないという状態にはならない。故に作業がより楽になると共に、作業時間も短縮でき、更には清掃部材、即ち細布の使用寿命を延ばすことができる。その上、モップヘッド上のI字形接続具が回転盤に対して３６０度回転できるだけでなく、柄に対しても枢転できることから、回転盤の底部における布部は如何なる状態下、例えば死角になり易い、テーブルやたんすの下部の床面にもその全面が完全に接触するので、本考案のモップは使い勝手が非常によく、且つ清掃品質の向上にもつながる。
【考案を実施するための最良の形態】
【０００７】
以下、添付図面を参照して本考案の好適な実施の形態を詳細に説明する。
【実施例】
【０００８】
図１は本考案に係る全方向性モップヘッドを有するモップの斜視図であり、図２は本考案に係る全方向性モップヘッドを有するモップの分解斜視図であり、図３は本考案に係る全方向性モップヘッドを有するモップの部分側面断面図であり、図４は本考案に係る全方向性モップヘッドを有するモップの使用状態を示す部分側面断面図である。
【０００９】
図１乃至図３に示すように、本考案の全方向性モップヘッドを有するモップは、回転機構、位置決め補助機構及び回転制御機構から構成される。
【００１０】
前記回転機構は、即ちモップヘッドであり、前記位置決め補助機構上に該位置決め補助機構に対して360度回転可能に設置されると共に、中央に円形開口（１１）が形成され、底面に収容溝（１２）が形成され、該収容溝（１２）内における円形開口（１１）の下方に連結座（１８）が設置され、該円形開口（１１）と連結座（１８）との間に円形空間が形成され、更に上面に円形開口（１１）をカバーするように、貫通孔（１３１）を有する上蓋（１３）が設置される回転盤（１０）と、
底部に底座（２１）を有し、該底座（２１）が円形開口（１１）内に枢設されることにより、回転盤（１０）に対して360度回転すると共に、該底座（２１）の上部に前記上蓋（１３）の開口（１３１）を貫通する連結プレート（２２）が凸設され、更に該連結プレート（２２）の周縁に少なくとも１つの凹部（２３）が形成されるI字形接続具（２０）と、
前記回転盤（１０）の円形開口（１１）内に固設され、且つ前記I字形接続具（２０）の底座（２１）と円形開口（１１）との間に固設されるドライ式のベアリング座（１７）と、前記回転盤（１０）の円形開口（１１）内に固設され、且つ前記I字形接続具（２０）の底座（２１）と上蓋（１３）との間に位置すると共に、連結プレート（２２）が貫通する貫通孔（１５１）が形成されるベアリング片（１５）と、弾性部材からなり、前記回転盤（１０）の円形開口（１１）内に、該回転盤（１０）に対して回転可能に設置されると共に、中央に貫通孔が形成され、底面に例えば、複数の細布（４１）或いはスポンジタワシからなる清掃部材が固設される固定盤（４０）とから構成される。
【００１１】
更に、前記回転盤（１０）はドライ式の、ベアリング座（１７）及びベアリング片（１５）を備え、ベアリング座（１７）がI字形接続具（２０）の底座（２１）と円形溝との間に位置するように、回転盤（１０）の円形溝内に固設され、一方、ベアリング片（１５）がI字形接続具（２０）の底座（２１）と上蓋（１３）との間に位置するように回転盤（１０）の円形溝内に固設されると共に、中央に連結プレート（２２）が貫通できる貫通孔（１５１）を有することが好ましい。そして、最後に複数のねじ（１６）が上蓋（１３）、ベアリング片（１５）、ベアリング座（１７）、回転盤（１０）及び連結座（１８）に貫設されることにより、回転機構全体が固定される。
【００１２】
また、モップを前後に移動させて床の清掃作業をする時は、前記固定盤（４０）が回転盤（１０）の動きに連動し、その固定盤（４０）の動きが細布（４１）を往復移動させたり、逆時計回りの回転をさせたりする。故にこの方法によれば、床にたまっている塵埃などのゴミを固定盤（４０）の中心孔に集め易くなると共に、モップヘッドを移動させる時には、それに伴い中心孔に集められた塵埃などのゴミも移動する。
【００１３】
図４に示すように、柄（３０）は、その底端がY字形接続具（３５）に連結され、即ち位置決め補助機構は、Y字形接続具（３５）とI字形接続具（２０）とが枢設状態となるようにピン（３３７）がY字形接続具（３５）及びI字形接続具（２０）の連結プレート（２２）に貫設されると共に、該Y字形接続具（３５）上に連結プレート（２２）を収容するための円弧状スリット（３１）が形成され、更に該円弧状スリット（３１）の内面に設置孔（３３）が形成され、該設置孔（３３）上の開口部に雌ねじ山が形成される。また、前記位置決め補助機構は更に、六角ねじ（３３６）、位置決めボール（３３３）、位置決めボール座（３３５）及びスプリング（３３４）を有し、その内六角ねじ（３３６）は設置孔（３３）の雌ねじ山に螺合し、該位置決めボール座（３３５）に位置決めボール（３３３）と接触する円滑弧状面が設けられることにより、該位置決めボール（３３３）が円滑弧状面においてスムーズに転動する。更に前記スプリング（３３４）の一端が六角ねじ（３３６）に当接されると共に、他端が位置決めボール座（３３５）に押圧され、位置決めボール（３３３）の一部が設置孔（３３）から露出し、且つ前記I字形接続具（２０）上に形成される凹部（２３）に埋没する構成を有する。この構成により位置決めボール（３３３）は凹部（２３）に係合されるので、I字形接続具（２０）とY字形接続具（３５）との角度を垂直状態にできる。故にモップを使用しない時は、Y字形接続具（３５）に適当な力が加わらなく、位置決めボール（３３３）が押圧されない状態であるので、前記柄（３０）は直立状態に維持され、清掃部材を洗う時も前記回転盤（１０）は枢転しない状態となる。一方、前記Y字形接続具（３５）に適当な力が加わって位置決めボール（３３３）が押圧されて凹部（２３）に引っ込むので、Y字形接続具（３５）が連結プレート（２２）に対して回転し倒れる。また、前記回転盤（１０）が柄（３０）に対して回転すると、連結プレート（２２）の外周縁が滑動するので、モップを前後に往復移動させても、該回転盤（１０）が床面にきちんと接地された状態となる。
【００１４】
更に、グリップ部（５０）は真っ直ぐなロッド状ではなく、前記柄（３０）の上端に固設され、これらグリップ部（５０）と柄（３０）とにより回転制御機構が構成されるので、床面を清掃する時は、前記グリップ部（５０）を制御してモップヘッドを回転させながら清掃を行う。故に真っ直ぐなロッド状ではないグリップ部（５０）は、さまざまな方向にスムーズに回転させながら清掃を行うことができる。
【００１５】
そして、前記モップヘッド上のI字形接続具（２０）は、回転盤（１０）に対して360度回転できるだけでなく、柄（３０）に対しても枢転できることから、回転盤（１０）の底部がどのような状態でも清掃する面、即ち細布（４１）の表面は常に平らな状態をとなる。故に、本考案のモップは操作が非常に簡単であると共に、清掃効果の向上にもつながる。
【図面の簡単な説明】
【００１６】
【図１】本考案に係る全方向性モップヘッドを有するモップの部分斜視図である。
【図２】本考案に係る全方向性モップヘッドを有するモップの部分分解斜視図である。
【図３】本考案に係る全方向性モップヘッドを有するモップの部分側面断面図である。
【図４】本考案に係る全方向性モップヘッドを有するモップの使用状態を示す部分側面断面図である。
【符号の説明】
【００１７】
１０        回転盤
１１        円形開口
１２        収容溝
１３        上蓋
１３１      開口
１５        ベアリング片
１５１      貫通孔
１７        ベアリング座
１８        連結座
２０        I字形接続具
２１        底座
２２        連結プレート
２３        凹部
３０        柄
３１        円弧状スリット
３３        設置孔
３３３      位置決めボール
３３４      スプリング
３３５      位置決めボール座
３３６      六角ねじ
３３７      ピン
３５        Y字形接続具
４０        固定盤
４１        細布
５０        グリップ部
【図１】
0003117282.tif 000003
【図２】
0003117282.tif 000004
【図３】
0003117282.tif 000005
【図４】
0003117282.tif 000006
【手続補正書】
【提出日】平成17年10月13日(2005.10.13)
【手続補正１】
【補正対象書類名】図面
【補正対象項目名】全図
【補正方法】変更
【補正の内容】
【図１】
0003117282.tif 000007
【図２】
0003117282.tif 000008
【図３】
0003117282.tif 000009
【図４】
0003117282.tif 000010